【手続補正書】
【提出日】平成28年7月7日(2016.7.7)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
前記ＵＥがアップリンク通信またはダウンリンク通信のうちの少なくとも１つのための異なるアンテナ構成間で切り替えるための切替えポイントを、前記ＵＥが決定することと、ここにおいて、前記決定することは、チャネル状態情報（ＣＳＩ）フィードバックを送信することまたはアップリンク基準信号を送信することのうちの少なくとも１つのタイミングに基づいて前記切替えポイントを導出することを備える、
前記ＵＥが、前記決定に基づいて前記ＣＳＩフィードバックまたは前記アップリンク基準信号のうちの少なくとも１つを送信するためのパラメータを調整することと
を備える、方法。
【請求項２】
ダウンリンクアンテナ構成間で切り替えるための切替えポイントは、前記ＵＥがＣＳＩフィードバックを送信するときと一致する、
請求項１に記載の方法。
【請求項３】
ダウンリンクアンテナ構成間で切り替えるための切替えポイントは、前記ＵＥがアップリンク基準信号を送信するときと一致する、
請求項１に記載の方法。
【請求項４】
前記切替えポイントを決定することは、
定義された周期性またはオフセットのうちの少なくとも１つに基づいて前記切替えポイントを決定すること
を備える、請求項１に記載の方法。
【請求項５】
切替えポイントの後に使用すべきアンテナ構成を選択することと、
前記選択されたアンテナ構成のインジケーションを与えることと
をさらに備える、請求項４に記載の方法。
【請求項６】
切替えポイントの後に使用すべきアンテナ構成のインジケーションを受信すること
をさらに備える、請求項４に記載の方法。
【請求項７】
複数のアンテナ構成のためにＣＳＩフィードバックを与えること
をさらに備える、請求項１に記載の方法。
【請求項８】
前記複数のアンテナ構成のために与えられた前記ＣＳＩフィードバックに少なくとも部分的に基づいて選択されたアンテナ構成のインジケーションを受信すること
をさらに備える、請求項７に記載の方法。
【請求項９】
前記ＵＥは、アップリンク送信のために利用可能な物理アンテナの数に基づいて複数のアップリンクアンテナ構成で構成される、
請求項１に記載の方法。
【請求項１０】
選択されたアップリンクアンテナ構成上でアップリンク基準信号を送信すること
をさらに備える、請求項１に記載の方法。
【請求項１１】
前記ＵＥは、直近の送信されたＣＳＩフィードバックに対応するダウンリンク送信を処理するためのダウンリンクアンテナ構成を利用するように構成される、
請求項１に記載の方法。
【請求項１２】
アンテナ構成にわたるレイヤの最大サポート可能数に基づいてランクインジケーション（ＲＩ）ビット幅を決定すること
をさらに備える、請求項１に記載の方法。
【請求項１３】
周期フィードバックおよび非周期フィードバックのために別々にランクインジケーション（ＲＩ）ビット幅を決定すること
をさらに備える、請求項１に記載の方法。
【請求項１４】
基地局（ＢＳ）によるワイヤレス通信のための方法であって、
前記ＢＳが、ユーザ機器（ＵＥ）がアップリンク通信またはダウンリンク通信のうちの少なくとも１つのための異なるアンテナ構成間で切り替えるための切替えポイントを決定することと、ここにおいて、前記決定することは、前記ＵＥがチャネル状態情報（ＣＳＩ）フィードバックを送信することまたは前記ＵＥがアップリンク基準信号を送信することのうちの少なくとも１つのタイミングに基づいて前記切替えポイントを導出することを備える、
前記ＢＳが、前記決定に基づいて前記フィードバックまたは前記アップリンク基準信号のうちの少なくとも１つを処理するために使用されるパラメータを調整することと
を備える、方法。
【請求項１５】
ダウンリンクアンテナ構成間で切り替えるための切替えポイントは、前記ＵＥがＣＳＩフィードバックを送信するときと一致する、
請求項１４に記載の方法。
【請求項１６】
ダウンリンクアンテナ構成間で切り替えるための切替えポイントは、前記ＵＥがアップリンク基準信号を送信するときと一致する、
請求項１４に記載の方法。
【請求項１７】
前記切替えポイントを決定することは、
定義された周期性またはオフセットのうちの少なくとも１つに基づいて前記切替えポイントを決定すること
を備える、請求項１４に記載の方法。
【請求項１８】
切替えポイントの後に使用すべきアンテナ構成を選択することと、
前記選択されたアンテナ構成のインジケーションを前記ＵＥにシグナリングすることと
をさらに備える、請求項１７に記載の方法。
【請求項１９】
切替えポイントの後に使用中のアンテナ構成のインジケーションを受信すること
をさらに備える、請求項１７に記載の方法。
【請求項２０】
複数のアンテナ構成のためにＣＳＩフィードバックを受信すること
をさらに備える、請求項１４に記載の方法。
【請求項２１】
前記複数のアンテナ構成のために与えられた前記ＣＳＩフィードバックに少なくとも部分的に基づいて選択されたアンテナ構成のインジケーションを送信すること
をさらに備える、請求項２０に記載の方法。
【請求項２２】
前記ＵＥは、アップリンク送信のために利用可能な物理アンテナの数に基づいて複数のアップリンクアンテナ構成で構成される、
請求項１４に記載の方法。
【請求項２３】
選択されたアップリンクアンテナ構成上でアップリンク基準信号を受信すること
をさらに備える、請求項１４に記載の方法。
【請求項２４】
前記ＵＥは、直近の送信されたＣＳＩフィードバックに対応するダウンリンク送信を処理するためのダウンリンクアンテナ構成を利用するように構成される、
請求項１４に記載の方法。
【請求項２５】
アンテナ構成にわたるレイヤの最大サポート可能数に基づいてランクインジケーション（ＲＩ）ビット幅を決定すること
をさらに備える、請求項１４に記載の方法。
【請求項２６】
周期フィードバックおよび非周期フィードバックのために別々にランクインジケーション（ＲＩ）ビット幅を決定すること
をさらに備える、請求項１４に記載の方法。
【請求項２７】
ユーザ機器（ＵＥ）によるワイヤレス通信のための装置であって、
前記ＵＥがアップリンク通信またはダウンリンク通信のうちの少なくとも１つのための異なるアンテナ構成間で切り替えるための切替えポイントを決定することと、ここにおいて、前記決定することは、チャネル状態情報（ＣＳＩ）フィードバックを送信することまたはアップリンク基準信号を送信することのうちの少なくとも１つのタイミングに基づいて前記切替えポイントを導出することを備える、前記決定に基づいて前記ＣＳＩフィードバックまたは前記アップリンク基準信号のうちの少なくとも１つを送信するためのパラメータを調整することとを行うように構成される少なくとも１つのプロセッサと、
前記少なくとも１つのプロセッサに結合されたメモリと
を備える、装置。
【請求項２８】
基地局（ＢＳ）によるワイヤレス通信のための装置であって、
ユーザ機器（ＵＥ）がアップリンク通信またはダウンリンク通信のうちの少なくとも１つのための異なるアンテナ構成間で切り替えるための切替えポイントを決定することと、ここにおいて、前記決定することは、前記ＵＥがチャネル状態情報（ＣＳＩ）フィードバックを送信することまたは前記ＵＥがアップリンク基準信号を送信することのうちの少なくとも１つのタイミングに基づいて前記切替えポイントを導出することを備える、前記決定に基づいて前記ＣＳＩフィードバックまたは前記アップリンク基準信号のうちの少なくとも１つを処理するために使用されるパラメータを調整することとを行うように構成される少なくとも１つのプロセッサと、
前記少なくとも１つのプロセッサに結合されたメモリと
を備える、装置。
【手続補正２】
【補正対象書類名】明細書
【補正対象項目名】０１１１
【補正方法】変更
【補正の内容】
【０１１１】
[0114]  以上の説明は、当業者が本明細書で説明した様々な態様を実施できるようにするために提供したものである。これらの態様に対する様々な変更は当業者には容易に明らかであり、本明細書で定義した一般原理は他の態様に適用され得る。従って、特許請求の範囲は、本明細書に示された態様に限定されるものでなく、特許請求の言い回しに矛盾しない全範囲を与えられるべきであり、単数形の要素への言及は、そのように明記されていない限り、「唯一無二の」を意味するものでなく、「１つまたは複数の」を意味するものである。別段に明記されていない限り、「いくつかの」という用語は１つまたは複数のを指す。当業者に知られている、または後で知られることになる、本開示全体にわたって説明した様々な態様の要素の全ての構造的および機能的均等物は、参照により本明細書に明確に組み込まれ、特許請求の範囲によって包含されるものとする。さらに、本明細書で開示したいかなることも、そのような開示が特許請求の範囲に明示的に具陳されているかどうかにかかわらず、公に供するものでない。いかなるクレーム要素も、その要素が「ための手段」という句を使用して明示的に具陳されていない限り、ミーンズプラスファンクションとして解釈されるべきでない。
以下に、本願の出願当初の特許請求の範囲に記載された発明を付記する。
［Ｃ１］
ユーザ機器（ＵＥ）によるワイヤレス通信のための方法であって、
前記ＵＥがアップリンク通信またはダウンリンク通信のうちの少なくとも１つのための異なるアンテナ構成間で切り替えるための切替えポイントを決定することと、
前記決定に基づいてチャネル状態情報（ＣＳＩ）フィードバックまたはアップリンク基準信号のうちの少なくとも１つを送信するためのパラメータを調整することと
を備える、方法。
［Ｃ２］
前記切替えポイントを決定することは、
前記ＣＳＩフィードバックを送信することまたはアップリンク基準信号を送信することのうちの少なくとも１つのタイミングに基づいて切替えポイントを導出すること
を備える、Ｃ１に記載の方法。
［Ｃ３］
ダウンリンクアンテナ構成間で切り替えるための切替えポイントは、前記ＵＥがＣＳＩフィードバックを送信するときと一致する、
Ｃ２に記載の方法。
［Ｃ４］
ダウンリンクアンテナ構成間で切り替えるための切替えポイントは、前記ＵＥがアップリンク基準信号を送信するときと一致する、
Ｃ２に記載の方法。
［Ｃ５］
前記切替えポイントを決定することは、
定義された周期性またはオフセットのうちの少なくとも１つに基づいて切替えポイントを決定することを備える、Ｃ１に記載の方法。
［Ｃ６］
切替えポイントの後に使用すべきアンテナ構成を選択することと、
前記選択されたアンテナ構成のインジケーションを与えることと
をさらに備える、Ｃ５に記載の方法。
［Ｃ７］
切替えポイントの後に使用すべきアンテナ構成のインジケーションを受信すること
をさらに備える、Ｃ５に記載の方法。
［Ｃ８］
複数のアンテナ構成のためにＣＳＩフィードバックを与えること
をさらに備える、Ｃ１に記載の方法。
［Ｃ９］
前記複数のアンテナ構成のために与えられた前記ＣＳＩフィードバックに少なくとも部分的に基づいて選択されたアンテナ構成のインジケーションを受信すること
をさらに備える、Ｃ８に記載の方法。
［Ｃ１０］
前記ＵＥは、アップリンク送信のために利用可能な物理アンテナの数に基づいて複数のアップリンクアンテナ構成で構成される、
Ｃ１に記載の方法。
［Ｃ１１］
選択されたアップリンクアンテナ構成上でアップリンク基準信号を送信すること
をさらに備える、Ｃ１に記載の方法。
［Ｃ１２］
前記ＵＥは、直近の送信されたＣＳＩフィードバックに対応するダウンリンク送信を処理するためのダウンリンクアンテナ構成を利用するように構成される、
Ｃ１に記載の方法。
［Ｃ１３］
アンテナ構成にわたるレイヤの最大サポート可能数に基づいてランクインジケーション（ＲＩ）ビット幅を決定すること
をさらに備える、Ｃ１に記載の方法。
［Ｃ１４］
周期フィードバックおよび非周期フィードバックのために別々にランクインジケーション（ＲＩ）ビット幅を決定すること
をさらに備える、Ｃ１に記載の方法。
［Ｃ１５］
基地局（ＢＳ）によるワイヤレス通信のための方法であって、
ユーザ機器（ＵＥ）がアップリンク通信またはダウンリンク通信のうちの少なくとも１つのための異なるアンテナ構成間で切り替えるための切替えポイントを決定することと、
前記決定に基づいてチャネル状態情報（ＣＳＩ）フィードバックまたはアップリンク基準信号のうちの少なくとも１つを処理するために使用されるパラメータを調整することと
を備える、方法。
［Ｃ１６］
前記切替えポイントを決定することは、
前記ＵＥが前記ＣＳＩフィードバックを送信することまたは前記ＵＥがアップリンク基準信号を送信することのうちの少なくとも１つのタイミングに基づいて切替えポイントを導出することを備える、Ｃ１５に記載の方法。
［Ｃ１７］
ダウンリンクアンテナ構成間で切り替えるための切替えポイントは、前記ＵＥがＣＳＩフィードバックを送信するときと一致する、
Ｃ１６に記載の方法。
［Ｃ１８］
ダウンリンクアンテナ構成間で切り替えるための切替えポイントは、前記ＵＥがアップリンク基準信号を送信するときと一致する、
Ｃ１６に記載の方法。
［Ｃ１９］
前記切替えポイントを決定することは、
定義された周期性またはオフセットのうちの少なくとも１つに基づいて切替えポイントを決定することを備える、
Ｃ１５に記載の方法。
［Ｃ２０］
切替えポイントの後に使用すべきアンテナ構成を選択することと、
前記選択されたアンテナ構成のインジケーションを前記ＵＥにシグナリングすることと
をさらに備える、Ｃ１９に記載の方法。
［Ｃ２１］
切替えポイントの後に使用中のアンテナ構成のインジケーションを受信すること
をさらに備える、Ｃ１９に記載の方法。
［Ｃ２２］
複数のアンテナ構成のためにＣＳＩフィードバックを受信すること
をさらに備える、Ｃ１５に記載の方法。
［Ｃ２３］
前記複数のアンテナ構成のために与えられた前記ＣＳＩフィードバックに少なくとも部分的に基づいて選択されたアンテナ構成のインジケーションを送信すること
をさらに備える、Ｃ２２に記載の方法。
［Ｃ２４］
前記ＵＥは、アップリンク送信のために利用可能な物理アンテナの数に基づいて複数のアップリンクアンテナ構成で構成される、
Ｃ１５に記載の方法。
［Ｃ２５］
選択されたアップリンクアンテナ構成上でアップリンク基準信号を受信すること
をさらに備える、Ｃ１５に記載の方法。
［Ｃ２６］
前記ＵＥは、直近の送信されたＣＳＩフィードバックに対応するダウンリンク送信を処理するためのダウンリンクアンテナ構成を利用するように構成される、
Ｃ１５に記載の方法。
［Ｃ２７］
アンテナ構成にわたるレイヤの最大サポート可能数に基づいてランクインジケーション（ＲＩ）ビット幅を決定すること
をさらに備える、Ｃ１５に記載の方法。
［Ｃ２８］
周期フィードバックおよび非周期フィードバックのために別々にランクインジケーション（ＲＩ）ビット幅を決定すること
をさらに備える、Ｃ１５に記載の方法。
［Ｃ２９］
ユーザ機器（ＵＥ）によるワイヤレス通信のための装置であって、
前記ＵＥはアップリンク通信またはダウンリンク通信のうちの少なくとも１つのための異なるアンテナ構成間で切り替えるための切替えポイントを決定することと、前記決定に基づいてチャネル状態情報（ＣＳＩ）フィードバックまたはアップリンク基準信号のうちの少なくとも１つを送信するためのパラメータを調整することとを行うように構成される少なくとも１つのプロセッサと、
前記少なくとも１つのプロセッサに結合されたメモリと
を備える、装置。
［Ｃ３０］
基地局（ＢＳ）によるワイヤレス通信のための装置であって、
ユーザ機器（ＵＥ）はアップリンク通信またはダウンリンク通信のうちの少なくとも１つのための異なるアンテナ構成間で切り替えるための切替えポイントを決定することと、前記決定に基づいてチャネル状態情報（ＣＳＩ）フィードバックまたはアップリンク基準信号のうちの少なくとも１つを処理するために使用されるパラメータを調整することとを行うように構成される少なくとも１つのプロセッサと、
前記少なくとも１つのプロセッサに結合されたメモリと
を備える、装置。